(57)【要約】【課題】簡単な構成で、遠心分離器の着脱操作を容易に行うことができ、遠心分離器を確実に固定することができる。【解決手段】本発明の遠心分離器の固定台２は、回転駆動されるターンテーブル２０と、ターンテーブル２０上に設けられ、遠心分離器４のローター５０の底部外周部に外方に向かって突出するように形成された複数の突部５０５に対しそれぞれ係脱自在に係合する係合部２２と、各係合部２２に対する突部５０５の係合状態を維持する係合維持手段２４とを有している。係合部２２は、ターンテーブル２０の上面２０１とほぼ平行なガイド板２２１と、上面２０１とほぼ垂直に形成され、突部５０５が当接して回転方向の移動を規制する回転規制部材２２２とを備えている。【選択図】図３
2005074109.tif 000002
【特許請求の範囲】
【請求項１】
内部に貯血空間を有する回転体形状の遠心分離器を固定し回転する遠心分離器の固定台であって、
回転駆動されるターンテーブルと、
前記ターンテーブル上に設けられ、前記遠心分離器の底部外周部に外方に向かって突出するように形成された複数の突部に対しそれぞれ係脱自在に係合する係合部と、
前記係合部に対する前記突部の係合状態を維持する係合維持手段とを有し、
前記遠心分離器を前記ターンテーブルに対し所定方向に相対的に回転することにより、前記各突部と前記各係合部とを係合し固定することを特徴とする遠心分離器の固定台。
【請求項２】
前記突部は、フランジ状の突片で構成される請求項１に記載の遠心分離器の固定台。
【請求項３】
前記係合部は、前記ターンテーブルの上面から所定距離離間した位置に前記上面とほぼ平行に配置されたガイド板と、前記上面とほぼ垂直に形成され、前記突部が当接して回転方向の移動を規制する回転規制部材とを備える請求項１または２に記載の遠心分離器の固定台。
【請求項４】
前記係合維持手段は、前記突部に当接する当接部材と、前記当接部材を前記突部に当接するように付勢する付勢部材とを備え、前記付勢部材の付勢力により係合状態を維持するように構成されている請求項１ないし３のいずれかに記載の遠心分離器の固定台。
【請求項５】
前記遠心分離器は、血液の流入口と血液成分の排出口とを有するステーターと、内部に円環状の貯血空間を有し、前記ステーターに対し回転可能に支持された容器本体を備えるローターとで構成されている請求項１ないし４のいずれかに記載の遠心分離器の固定台。
【請求項６】
内部に貯血空間を有する回転体形状の遠心分離器を回転駆動するターンテーブルに固定するための遠心分離器固定用アダプタであって、
前記ターンテーブルに固定可能な円盤状のアダプタ本体と、
前記アダプタ本体上に設けられ、前記遠心分離器の底部外周部に外方に向かって突出するように形成された複数の突部に対しそれぞれ係脱自在に係合する係合部と、
前記係合部に対する前記突部の係合状態を維持する係合維持手段とを有し、
前記遠心分離器を前記アダプタ本体に対し所定方向に相対的に回転することにより、前記各突部と前記各係合部とを係合し固定することを特徴とする遠心分離器固定用アダプタ。
【請求項７】
前記突部は、フランジ状の突片で構成される請求項６に記載の遠心分離器固定用アダプタ。
【請求項８】
前記係合部は、前記アダプタ本体の上面から所定距離離間した位置に前記上面とほぼ平行に配置されたガイド板と、前記上面とほぼ垂直に形成され、前記突部が当接して回転方向の移動を規制する回転規制部材とを備える請求項６または７に記載の遠心分離器固定用アダプタ。
【請求項９】
前記係合維持手段は、前記突部に当接する当接部材と、前記当接部材を前記突部に当接するように付勢する付勢部材とを備え、前記付勢部材の付勢力により係合状態を維持するように構成されている請求項６ないし８のいずれかに記載の遠心分離器固定用アダプタ。
【請求項１０】
前記係合維持手段は、前記突部に当接する当接位置と前記突部に当接しない退避位置とに変位可能な当接部材と、前記当接部材を退避位置へ変位させるように付勢する付勢部材とを備え、前記アダプタ本体を前記ターンテーブルに固定したとき、前記当接部材が前記付勢部材の付勢力に抗して前記当接位置へ変位するよう構成されている請求項６ないし８のいずれかに記載の遠心分離器固定用アダプタ。
【請求項１１】
内部を負圧にすることにより遠心分離器固定用アダプタを前記ターンテーブルに固定する請求項６ないし１０のいずれかに記載の遠心分離器固定用アダプタ。
【請求項１２】
前記遠心分離器は、血液の流入口と血液成分の排出口とを有するステーターと、内部に円環状の貯血空間を有し、前記ステーターに対し回転可能に支持された容器本体を備えるローターとで構成されている請求項６ないし１１のいずれかに記載の遠心分離器固定用アダプタ。
【請求項１３】
請求項１ないし５のいずれかに記載の遠心分離器の固定台と、
前記固定台を回転駆動する駆動源とを有することを特徴とする回転駆動装置。
【発明の詳細な説明】
【技術分野】
【０００１】
本発明は、遠心分離器の固定台、遠心分離器固定用アダプタおよび回転駆動装置に関するものである。
【背景技術】
【０００２】
採血を行う場合、現在では、血液の有効利用および供血者の負担軽減などの理由から、採血血液を遠心分離などにより各血液成分に分離し、輸血者に必要な成分だけを採取し、その他の成分は供血者に返還する成分採血が行われている。
【０００３】
このような成分採血において、例えば血小板製剤を得る場合、供血者から採血した血液を血液成分分離回路に導入し、該血液成分分離回路に設置された遠心ボウルと呼ばれる遠心分離器により、血漿、白血球、血小板および赤血球の４成分に分離し、そのうちの血小板をバッグに回収して血小板製剤とし、残りの血漿、白血球および赤血球は、供血者に返血することが行われる。そして、目標とする血小板数を確保するために、上記採血、採血血液の遠心分離、血小板の回収および返血よりなる一連の血液処理工程が複数回行われる。
【０００４】
遠心ボウル（遠心分離器）は、血液の流入口と血液成分の排出口とを有するステーターと、内部に円環状の貯血空間を有し、ステーターに対し回転可能に支持された釣り鐘状（ベル状）のローター（回転する容器）とで構成されており、前記流入口より貯血空間内へ血液を供給しつつ、ローターを高速回転させることにより、前記貯血空間内の血液が遠心分離され、回転中心に近い側から血漿層、バフィーコート層および赤血球層に分離されるよう構成されている（例えば、特許文献１参照）。
【０００５】
ところで、遠心ボウルのローターは、回転駆動装置のターンテーブルに固定されて高速回転され、貯血空間内の血液が遠心分離される。ローター（ボウル５２）のターンテーブル（ハウジング６０）への固定機構としては、ターンテーブルの外周部に設けられた複数のグリップ用フィンガ（以下単に「フィンガ」と言う）１１２によりローターの底部外周部を掴む構成のものが開示されている（例えば、特許文献２参照）。
【０００６】
この固定機構では、フィンガ１１２をその質量中心がフィンガ１１２の回動中心（枢動点：ピン１２３）よりも低い位置になるように設置することで、ターンテーブルが高速で回転したとき、その遠心力によりフィンガ１１２の上端１２６（ローターの底部外周部に係止する爪部）が回転中心方向に付勢され、ローターを挟む力（ローターの保持力）が増大するよう構成されている。そして、ターンテーブルの回転速度が増すほど、ローターの保持力は増大する（特許文献２の段落番号０００７参照）。
【０００７】
この固定機構では、ターンテーブルが高速回転しているときはフィンガによるローターの保持力が高く、ローターは確実に固定されているが、ターンテーブルの回転が停止すると遠心力が失われるので、フィンガ１１２によりローターを挟む力は衰え、ローターは、フィンガ１１２を付勢している弱いバネ力によってのみ保持されることとなる。
【０００８】
そのため、この固定機構では、ターンテーブルの回転が停止しているかまたは比較的低速で回転しているときには、ローターがターンテーブルから容易に外れてしまうおそれがあるという欠点がある（特許文献２の段落番号０００８参照）。
【０００９】
また、この固定機構は、複数のフィンガ１１２と、各フィンガ１１２を回動自在に支持する回動機構と、各グリップ用フィンガを回転中心方向に向けて付勢するバネ１３２とを備え、これらを組み立てた構造であるため、部品点数が多く、構造が複雑であるばかりでなく、装置の組み立ての際に、前述したように、フィンガ１１２の質量中心と回動中心の位置関係を適正に定めたり、ターンテーブル回転時にフィンガ１１２に作用する向心力との関係でバネ１３２の付勢力を微妙に調整したりしなければならず、そのため、組み立てが容易ではなく、また、固定機構としての性能、特に、ターンテーブルの回転速度の変化に対するローターの保持力にバラツキが生じ易く、信頼性に欠けるという問題もある。
【００１０】
【特許文献１】特開平９−１０８５９４号公報
【特許文献２】特開平９−１６４３４３号公報
【発明の開示】
【発明が解決しようとする課題】
【００１１】
本発明の目的は、簡単な構成で、遠心分離器の着脱操作を容易に行うことができ、また、遠心分離器を確実に固定することができる遠心分離器の固定台、遠心分離器固定用アダプタおよび回転駆動装置を提供することにある。
【課題を解決するための手段】
【００１２】
このような目的は、下記（１）〜（２２）の本発明により達成される。
（１）  内部に貯血空間を有する回転体形状の遠心分離器を固定し回転する遠心分離器の固定台であって、
回転駆動されるターンテーブルと、
前記ターンテーブル上に設けられ、前記遠心分離器の底部外周部に外方に向かって突出するように形成された複数の突部に対しそれぞれ係脱自在に係合する係合部と、
前記係合部に対する前記突部の係合状態を維持する係合維持手段とを有し、
前記遠心分離器を前記ターンテーブルに対し所定方向に相対的に回転することにより、前記各突部と前記各係合部とを係合し固定することを特徴とする遠心分離器の固定台。
【００１３】
（２）  前記突部は、フランジ状の突片で構成される上記（１）に記載の遠心分離器の固定台。
【００１４】
（３）  前記係合部は、前記ターンテーブルの上面から所定距離離間した位置に前記上面とほぼ平行に配置されたガイド板と、前記上面とほぼ垂直に形成され、前記突部が当接して回転方向の移動を規制する回転規制部材とを備える上記（１）または（２）に記載の遠心分離器の固定台。
【００１５】
（４）  前記ガイド板は、前記ターンテーブルの外周部に沿って帯状に形成されており、前記回転規制部材は、前記ガイド板の端部に立設されている上記（３）に記載の遠心分離器の固定台。
【００１６】
（５）  前記回転規制部材は、前記係合部におけるターンテーブルの回転駆動方向の後方側に設けられている上記（３）または（４）に記載の遠心分離器の固定台。
【００１７】
（６）  前記係合維持手段は、前記突部に当接する当接部材と、前記当接部材を前記突部に当接するように付勢する付勢部材とを備え、前記付勢部材の付勢力により係合状態を維持するように構成されている上記（１）ないし（５）のいずれかに記載の遠心分離器の固定台。
【００１８】
（７）  前記当接部材は、ピンで構成され、前記突部に前記ピンの端部が挿入する凹部が形成されている上記（６）に記載の遠心分離器の固定台。
【００１９】
（８）  前記遠心分離器は、血液の流入口と血液成分の排出口とを有するステーターと、内部に円環状の貯血空間を有し、前記ステーターに対し回転可能に支持された容器本体を備えるローターとで構成されている上記（１）ないし（７）のいずれかに記載の遠心分離器の固定台。
【００２０】
（９）  内部に貯血空間を有する回転体形状の遠心分離器を回転駆動するターンテーブルに固定するための遠心分離器固定用アダプタであって、
前記ターンテーブルに固定可能な円盤状のアダプタ本体と、
前記アダプタ本体上に設けられ、前記遠心分離器の底部外周部に外方に向かって突出するように形成された複数の突部に対しそれぞれ係脱自在に係合する係合部と、
前記係合部に対する前記突部の係合状態を維持する係合維持手段とを有し、
前記遠心分離器を前記アダプタ本体に対し所定方向に相対的に回転することにより、前記各突部と前記各係合部とを係合し固定することを特徴とする遠心分離器固定用アダプタ。
【００２１】
（１０）  前記突部は、フランジ状の突片で構成される上記（９）に記載の遠心分離器固定用アダプタ。
【００２２】
（１１）  前記係合部は、前記アダプタ本体の上面から所定距離離間した位置に前記上面とほぼ平行に配置されたガイド板と、前記上面とほぼ垂直に形成され、前記突部が当接して回転方向の移動を規制する回転規制部材とを備える上記（９）または（１０）に記載の遠心分離器固定用アダプタ。
【００２３】
（１２）  前記ガイド板は、前記アダプタ本体の外周部に沿って帯状に形成されており、前記回転規制部材は、前記ガイド板の端部に立設されている上記（１１）に記載の遠心分離器固定用アダプタ。
【００２４】
（１３）  前記回転規制部材は、前記係合部におけるターンテーブルの回転駆動方向の後方側に設けられている上記（１１）または（１２）に記載の遠心分離器固定用アダプタ。
【００２５】
（１４）  前記係合維持手段は、前記突部に当接する当接部材と、前記当接部材を前記突部に当接するように付勢する付勢部材とを備え、前記付勢部材の付勢力により係合状態を維持するように構成されている上記（９）ないし（１３）のいずれかに記載の遠心分離器固定用アダプタ。
【００２６】
（１５）  前記当接部材は、ピンで構成され、前記突部に前記ピンの端部が挿入する凹部が形成されている上記（１４）に記載の遠心分離器固定用アダプタ。
【００２７】
（１６）  前記係合維持手段は、前記突部に当接する当接位置と前記突部に当接しない退避位置とに変位可能な当接部材と、前記当接部材を退避位置へ変位させるように付勢する付勢部材とを備え、前記アダプタ本体を前記ターンテーブルに固定したとき、前記当接部材が前記付勢部材の付勢力に抗して前記当接位置へ変位するよう構成されている上記（９）ないし（１３）のいずれかに記載の遠心分離器固定用アダプタ。
【００２８】
（１７）  前記当接部材は、ピンで構成され、当該ピンは、その一端部が前記アダプタ本体の上面に対し突出／没入し得るよう構成されている上記（１６）に記載の遠心分離器固定用アダプタ。
【００２９】
（１８）  前記ピンは、その一端部が前記アダプタ本体の上面より突出したとき、その他端部は前記ターンテーブルに対する固定面より没入し、その一端部が前記アダプタ本体の上面より没入したとき、その他端部は前記固定面より突出するよう構成されている上記（１７）に記載の遠心分離器固定用アダプタ。
【００３０】
（１９）  内部を負圧にすることにより遠心分離器固定用アダプタを前記ターンテーブルに固定する上記（９）ないし（１８）のいずれかに記載の遠心分離器固定用アダプタ。
【００３１】
（２０）  前記アダプタ本体に空気吸入口が形成されている上記（１９）に記載の遠心分離器固定用アダプタ。
【００３２】
（２１）  前記遠心分離器は、血液の流入口と血液成分の排出口とを有するステーターと、内部に円環状の貯血空間を有し、前記ステーターに対し回転可能に支持された容器本体を備えるローターとで構成されている上記（９）ないし（２０）のいずれかに記載の遠心分離器固定用アダプタ。
【００３３】
（２２）  上記（１）ないし（８）のいずれかに記載の遠心分離器の固定台と、
前記固定台を回転駆動する駆動源とを有することを特徴とする回転駆動装置。
【発明の効果】
【００３４】
本発明によれば、簡単な構成で、遠心分離器の着脱操作を容易に行うことができるとともに、回転速度に係わらず、遠心分離器を一定の保持力で確実に固定することができる。
そのため、回転速度が低下したり回転が停止した状態でも、遠心分離器が離脱することが防止される。
【発明を実施するための最良の形態】
【００３５】
以下、本発明の遠心分離器の固定台、遠心分離器固定用アダプタおよび回転駆動装置につき添付図面に示す好適実施形態に基づいて詳細に説明する。
【００３６】
図１は、本発明の遠心分離器（遠心ボウル）の固定台を備えた回転駆動装置の実施形態を示す断面側面図、図２は、遠心分離器（遠心ボウル）の構成例を示す縦断面図、図３は、本発明の遠心分離器の固定台の実施形態を示す斜視図である。また、図４は、図３中のＡ−Ａ線断面図であり、本発明における係合部および係合維持手段の構成例を示す断面図である。なお、図３中では、遠心分離器（遠心ボウル）４は、それを構成するローター５０のみが示され、ステーター４０は図示が省略されている。
【００３７】
まず、図２に基づき、遠心分離器（遠心ボウル）の構成について説明する。以下の説明では、図１〜図４中の上側を「上」、「上部」または「上端」、下側を「下」、「下部」または「下端」と言う。
【００３８】
遠心分離器（遠心ボウル）４は、ステーター４０と、ステーター４０に対し回転可能なローター５０とで構成されている。ステーター４０の上部には、ボウルヘッド４１が設けられ、該ボウルヘッド４１には、互いに反対方向へ向けて突出する流入口４３および流出口４４が形成されている。ボウルヘッド４１の長手方向中央部付近には、後述するシール機構４８を収納するスカート状のカバー４２が形成されている。
【００３９】
ボウルヘッド４１の下端部には、下方へ向けて拡開する上部流出管４５が液密に嵌入されている。また、ボウルヘッド４１の内腔および上部流出管４５の内腔には、下部流入管４６が挿入されており、２重管構造をなしている。
【００４０】
下部流入管４６の上端４６１は、流出口４４より上方へ突出し、流入口４３に連通している。また、下部流入管４６の途中には、上部流出管４５の下面に対面する形状のフランジ部４６２が形成されている。
【００４１】
上部流出管４５とフランジ部４６２との間には、幅狭の流路４６３が形成され、この流路４６３は、ボウルヘッド４１の内面と下部流入管４６の外面との間に形成される流路４６４を介して、流出口４４に連通している。
【００４２】
下部流入管４６の下端には、鉛直方向に延出する直管状の流入管４７が接続されている。流入管４７の下端は、ローター５０内の底部付近に位置している。
【００４３】
シール機構４８は、ローター５０の上端部を液密にシールするものであり、リング４８１と、内周縁部がボウルヘッド４１に固着されたシール部材４８２と、シール部材４８２の外周縁部をリング４８１との間で挟持固定する押え部材４８３とで構成されている。
【００４４】
リング４８１は、ローター５０の回転時に、ローター５０側に固定された摺動部材５８と接触して摺動する凸部４８４を有している。シール部材４８２は、例えば、天然ゴム、イソプレンゴム、シリコーンゴム、スチレン−ブタジエンゴム、ウレタンゴム等の各種ゴムや各種熱可塑性エラストマー等の弾性材料よりなる膜で構成されている。
【００４５】
一方、ローター５０は、釣り鐘状（または俵状でもよい）をなす容器本体（ボウル本体）５１と、容器本体５１の下端開口を遮蔽する底板（板状の遮蔽部材）５２と、容器本体５１内に位置する釣り鐘状（ベル状）の外核５３と、外核５３の内側に嵌合された筒状の内核５４とで構成され、これらを組み立てたものである。容器本体５１および底板５２は、いずれも回転体形状をなしており、底板５２は、容器本体５１に対し、融着または接着剤による接着により液密に固着されている。特に、融着が好ましい。この融着の方法は、熱融着、超音波融着、レーザ光の照射による融着などが挙げられるが、より均一な融着が可能で、融着強度が高いことから、レーザ光の照射による融着が特に好ましい。
【００４６】
この場合、照射するレーザ光の種類としては、特に限定されず、例えば、半導体レーザ、ＣＯ２レーザ、ＹＡＧレーザ、エキシマレーザ等が挙げられるが、その中でも特に、半導体レーザがエネルギー効率が良く、寿命が長いという理由で好ましい。また、照射するレーザ光の波長は、概ね、レーザ光の種類に依存するが、半導体レーザの場合、波長は、８００〜１０００ｎｍ程度であるのが好ましい。
【００４７】
内核５４の内側には、前記流入管４７が挿通され、ローター５０は、流入管４７の管軸（回転中心軸５００）を中心として回転する。
【００４８】
ローター５０の底部外周部には、外方に向かって突出するように形成された複数の突部５０５が形成されている。この突部５０５は、フランジ状（鍔状）の突片として構成されている。また、突部５０５は、周方向に沿って等間隔で形成されていても、等間隔でなくてもよいが、等間隔で形成されているのが好ましい。図３に示す例では、９０°間隔で４個の突部５０５が形成されている。各突部５０５の厚さは、ほぼ等しい。また、各突部５０５の外周端は、回転中心軸５００を中心とする円弧状をなしている。
【００４９】
なお、突部５０５は、底板５２の外周縁が外方へ延長されて形成されたもの、容器本体５１の下端部が外方へ向かって延長されて形成されたもの、それらの両方を融着または接着してなるもの、別部材を融着または接着したものなど、いかなるものでもよい。
【００５０】
また、突部５０５の下面には、後述する当接部材２４１の上端部２４２が挿入可能な凹部５０６が形成されている。この凹部５０６は、当接部材２４１の上端部２４２の形状（丸みを帯びた形状）に対応した形状とすることができ、例えば図示のように、円弧状に湾曲した形状をなしている。
【００５１】
容器本体５１の側壁５１１の内周面と、外核５３の外周面との間には、円環状の貯血空間（懸濁液貯留空間）５５が形成されている。また、容器本体５１の肩部内面と、外核５３の上部外面との間には、貯血空間５５の上部に連通し、そこからローター５０の回転中心軸５００方向に向かう幅狭の流路５６が形成されている。
【００５２】
底板５２は、ほぼ円板状の部材であり、その中心部には、流入管４７を流下した血液を受ける凹部５２１が形成されている。また、内核５４の下面と底板５２の上面（内面）との間には、ほぼ円盤状の流路５７が形成されている。この流路５７の内周側は、凹部５２１および流入管４７内に連通し、外周側は、貯血空間５５の下部に連通している。
【００５３】
これにより、貯血空間５５の下部は、流路５７、流入管４７の内腔および下部流入管４６の内腔を介して、流入口４３に連通し、貯血空間５５の上部は、流路５６、流路４６３および流路４６４を介して、流出口４４に連通する。
【００５４】
容器本体５１の上部には、縮径部５１５が形成されており、該縮径部５１５内に、前記上部流出管４５およびフランジ部４６２が収納されている。また、縮径部５１５の上端部には、例えばセラミックスで構成されたリング状の摺動部材５８が固定されている。
【００５５】
貯血空間５５は、図２中上方へ向かってその内外径が漸減するような形状（テーパ状）をなしている。特に、貯血空間５５の上部は、ローター５０の回転中心軸５００へ向かって湾曲し、幅狭の流路５６に至っている。この湾曲部分を肩部５９といい、流路５６の最内周の部分をダム部６０という。ダム部６０は、遠心分離操作時に血液成分がこれを越える（回転中心軸５００側へ移行する）と、縮径部５１５の内面に沿って流れ、さらに流路４６３、４６４を経て流出口４４より流出し、これを越えなければローター５０の回転数を下げること等により血液成分を貯血空間５５内に戻すことが可能な境界部である。
【００５６】
また、このローター５０において、貯血空間５５の容積Ｖは、特に限定されないが、通常、５０〜１０００［ｍｌ］程度とするのが好ましく、１００〜３００［ｍｌ］程度とするのがより好ましい。
【００５７】
容器本体５１、底板５２、外核５３および内核５４は、それぞれ、硬質の樹脂材料で構成されている。この硬質の樹脂材料としては、例えば、ポリカーボネート、ポリエチレン、ポリスチレンが挙げられる。
【００５８】
また、容器本体５１、底板５２、外核５３および内核５４のうちの少なくとも容器本体５１は、貯血空間５５の視認性を確保するために、実質的に透明な材料で構成されているのが好ましい。特に、容器本体５１と底板５２とは、それらの融着部の融着強度を高めるために、同一または同種の材料、あるいは相溶性に優れる材料であるのが好ましい。
【００５９】
以上のようなローター５０は、例えば図１に示すような本発明の回転駆動装置（遠心分離器駆動装置）１により、予め設定された所定の遠心条件（回転速度および回転時間）で回転される。この遠心条件により、ローター５０内の血液の分離パターン（例えば、分離する血液成分数）を設定することができる。例えば、貯血空間５５内で、血液が、内層より血漿層、バフィーコート層および赤血球層に分離されるように遠心条件を設定することができる。バフィーコート層は、血小板と白血球とを含んでいる。このバフィーコート層は、血漿層および赤血球層に比べて少量であるが、血漿を通すことにより沈降速度の違いを利用して、血小板と白血球とをより明確に分離することができる。
【００６０】
図１に示すように、回転駆動装置１は、遠心分離器４を収納するハウジング１１と、脚部１２と、駆動源であるモータ１３と、遠心分離器４を保持（固定）する本発明の遠心分離器の固定台（以下単に「固定台」と言う）２とを備えている。ハウジング１１は、脚部１２の上部に載置、固定されている。
【００６１】
ハウジング１１の下面には、ボルト１６によりスペーサー１７を介してモータ１３が固定されている。モータ１３の回転軸１４は、上方に向かって突出しており、その先端部には、固定台２が回転軸１４と同軸でかつ一体的に回転するように嵌入されている。すなわち、固定台２と回転軸１４とは、回転力を伝達し得るような凹凸嵌合構造のカプラーにより好ましくは着脱自在に連結される。このような固定台２の上部には、後述する操作にて遠心分離器４のローター５０が同軸で固定される。
【００６２】
また、遠心分離器４のステーター４０は、その上部位置（ボウルヘッド４１）において、図示しない固定部材によりハウジング１１に対し固定されている。回転駆動装置１では、モータ１３を駆動すると、固定台２およびそれに固定されたローター５０が、予め設定された所定の遠心条件（例えば、回転数１０００〜６０００ｒｐｍ）で回転する。この遠心条件により、ローター５０内の血液の分離パターン（例えば、分離する血液成分数）を設定することができる。
【００６３】
固定台２は、モータ１３により所定方向（図３中矢印方向）に回転駆動されるターンテーブル２０と、ターンテーブル２０上に設けられ、遠心分離器４の各突部５０５に対しそれぞれ係脱自在に係合する複数の係合部２２と、各係合部２２に対する突部５０５の係合状態を維持する係合維持手段２４とで構成されている。
【００６４】
ターンテーブル２０は、固定台２の本体を形成する円盤状の部材で構成されており、その上面２０１の外周部には、突部５０５に対応するように複数の係合部２２が形成されている。図示の実施形態では、４つの係合部２２が周方向にそって等間隔で、すなわち、９０°間隔で形成されている。
【００６５】
また、ターンテーブル２０のほぼ中心部には、凹部２０５が形成されている。この凹部２０５には、遠心分離器４の底板５２の中心部に形成された凹部５２１を画成するための凸部が挿入、配置される。
【００６６】
以下、各係合部２２および各係合維持手段２４について説明するが、それぞれの構成は同一であるため、１つの係合部２２および各係合維持手段２４について説明する。
【００６７】
係合部２２は、ターンテーブル２０の上面２０１から所定距離離間した位置に上面２０１とほぼ平行に配置されたガイド板２２１と、上面２０１とほぼ垂直に形成され、突部５０５が当接して回転方向の移動を規制する回転規制部材２２２とを備えている。
【００６８】
ターンテーブル２０の上面２０１とガイド板２２１との間には、突部（突片）５０５が挿入、収納される空間２１が形成される。従って、ガイド板２２１の上面２０１に対する離間距離は、突部５０５が挿入されるのに必要かつ十分な距離とされる。
【００６９】
ガイド板２２１は、ターンテーブル２０の外周部に沿って帯状に形成されており、回転規制部材２２２は、ガイド板２２１の一端部に空間２１を閉じるように立設された小片で構成されている。また、ガイド板２２１の外縁とターンテーブル２０の外縁とは、円弧状の外周壁２２３により連結（または一体化）され、空間２１の外周側が閉じられている。このような構成により、空間２１は、ターンテーブル２０の回転中心側およびガイド板２２１の他端部側（回転規制部材２２２がない側）にのみ開放する空間となる。
【００７０】
ここで、回転規制部材２２２は、ガイド板２２１のいずれ側の端部に形成されていてもよいが、ターンテーブル２０の回転駆動方向（図３中の矢印参照）との関係で、当該回転駆動方向の後方側に設けられているのが好ましい。これにより、ターンテーブル２０が回転駆動するとき（回転加速時）に、遠心分離器４の慣性力により突部５０５が回転規制部材２２２に当接し付勢されるようになるため、ターンテーブル２０に対する遠心分離器４の滑りを生じることなく確実な固定が維持される。
【００７１】
各係合部２２には、ぞれぞれ、当該係合部２２に係合する突部５０５の係合状態を維持する係合維持手段２４が設けられている。図４に示すように、係合維持手段２４は、突部５０５の下面に当接する当接部材２４１と、当接部材２４１を突部５０５に当接するように付勢する付勢部材２４５とを備えており、付勢部材２４５の付勢力により係合状態を維持するよう構成されている。
【００７２】
ターンテーブル２０の係合部２２の空間２１の下部には、孔２４７が形成されており、この孔２４７内に当接部材２４１および付勢部材２４５が収納されている。
【００７３】
当接部材２４１は、ピンで構成され、その上端部２４２は、丸みを帯びた形状をなしている。また、当接部材２４１の途中には、鍔状のバネ座２４３が形成されている。付勢部材２４５は、孔２４７内に圧縮状態で収納されたコイル状のバネで構成されており、付勢部材（バネ）２４５の下端および上端は、それぞれ、孔２４７の底面および当接部材２４１のバネ座２４３に当接している。これにより、付勢部材２４５は、当接部材２４１を空間２１に向けて上方に付勢する。
【００７４】
なお、孔２４７の上部は、バネ座２４３が通過できない程度に縮径した縮径部２４８を形成しており、この縮径部２４８の下面にバネ座２４３が当接することにより、当接部材２４１の上方への移動を規制し、上端部２４２が空間２１内に過剰に突出することを防止している。
【００７５】
次に、遠心分離器４の固定台２への固定方法（装着方法）について説明する。
図３に示すように、遠心分離器４のローター５０をターンテーブル２０の上方に位置させ、それらの回転中心同士をほぼ合わせた状態で、遠心分離器４を下降させつつ、各突部５０５がそれぞれ隣り合う係合部２２同士の間（４つの間隙）に挿入されるように位置合わせをする。
【００７６】
次に、ターンテーブル２０を固定（回転停止）した状態で、ローター５０を図３中時計回りに回転する。これにより、各突部５０５は、対応する係合部２２の空間２１内に（図４中矢印方向に）挿入されてゆき、突部５０５が回転規制部材２２２に当接したところで停止する。
【００７７】
なお、この操作は、ローター５０を固定（回転停止）した状態で、ターンテーブル２０を図３中反時計回りに回転することにより行ってもよい。
【００７８】
突部５０５が係合部２２の空間２１内に半分程度挿入したとき、突部５０５の縁が当接部材２４１の上端部２４２に当接し、付勢部材２４５の付勢力に抗して当接部材２４１を下方に押圧する。これにより、上端部２４２は、孔２４７内に引っ込む。その後、上端部２４２は、突部５０５の下面に当接しつつ摺動する。そして、突部５０５が回転規制部材２２２に当接したとき、突部５０５の下面に形成された凹部５０６が孔２４７のほぼ中心位置に一致するため、付勢部材２４５の付勢力により当接部材２４１が上方に移動し、上端部２４２が凹部５０６に挿入される。当接部材２４１の上端部２４２は、付勢部材２４５の付勢力により凹部５０６の湾曲凹面に圧着されているので、突部５０５が戻る方向（回転規制部材２２２から離れる方向）へ移動することが防止される。
【００７９】
以上により、各突部５０５の係合部２２への係合が完了し、かつその係合状態が維持される。これにより、ローター５０のターンテーブル２０に対する固定（装着）状態が確実に維持される。固定台２がローター５０を固定する力は、ターンテーブル２０の回転速度に係わらず（回転が停止した状態においても）、実質的に一定である。
【００８０】
遠心分離作業の終了後、ローター５０をターンテーブル２０から取り外す際には、ローター５０をターンテーブル２０に対し図３中反時計回りに相対的に回転する。これにより、突部５０５の下面に形成された凹部５０６から当接部材２４１の上端部２４２が外れ、突部５０５が空間２１から出て係合部２２との係合が解除されるので、ローター５０をターンテーブル２０より簡単に取り外すことができる。
【００８１】
図５は、係合部および係合維持手段の他の構成例を示す断面図である。図５に示す係合維持手段は、図４に示す係合維持手段２４の構成をより簡素にしたものである。
【００８２】
ローター５０の外周部に形成された突部５０５には、前記と同様の凹部５０６が形成されている。
【００８３】
一方、係合維持手段２５は、板バネで構成される付勢部材２５５と、その一端部に形成され、上方に向かって突出する突起状の当接部材２５１とで構成されている。本実施形態では、当接部材２５１と付勢部材２５５とが同一材料（例えば、硬質樹脂、金属材料）により一体形成されている。
【００８４】
付勢部材２５５は、その他端部がターンテーブル２０に固定されており、これにより付勢部材２５５および当接部材２５１は、ターンテーブル２０に対し片持ち支持されている。そして、付勢部材２５５の撓みにより、当接部材２５１が上下方向に変位することができる。当接部材２５１は、丸みを帯びた形状の突起で構成され、空間２１に突部５０５が挿入されたとき、その下面に形成された凹部５０６に挿入する。
【００８５】
図５に示す構成の係合部および係合維持手段を有する固定台２の場合も、遠心分離器４の固定台２への固定方法（装着方法）は、前記とほぼ同様であるため、その説明は省略する。
【００８６】
図６は、本発明の遠心分離器固定用アダプタの実施形態を示す斜視図である。遠心分離器固定用アダプタ（以下単に「アダプタ」と言う）３は、遠心分離器４を回転駆動装置１のターンテーブル２８に固定するためのアダプタであって、ターンテーブル２８に固定可能な円盤状のアダプタ本体３０と、アダプタ本体３０上に設けられ、遠心分離器４の各突部５０５に対しそれぞれ係脱自在に係合する複数の係合部３２と、各係合部３２に対する突部５０５の係合状態を維持する係合維持手段３４とで構成されている。
【００８７】
ターンテーブル２８は、ほぼ円盤状の部材で構成され、その中心部には、空気吸入口２８１が形成されている。ターンテーブル２８の下部には、図示しない空気吸入装置が設置され、この空気吸入装置の吸気管が空気吸入口２８１の下端部に接続されている。
【００８８】
また、ターンテーブル２８の外周には、ほぼ垂直に立設したリング状の外周壁２８２が形成されている。
【００８９】
また、ターンテーブル２８の底部上面であって、外周壁２８２の内側には、全周にわたって、リング状のパッキン（密着シート）２８３が設置されている。このパッキン２８３は、例えば前述したような各種ゴム材料、各種熱可塑性エラストマー、各種軟質樹脂等で構成することができる。なお、本発明において、このようなパッキンは、脚部３０２の下端面３０３側に設置されていてもよく、あるいはパッキン自体が存在しなくてもよい。
【００９０】
アダプタ本体３０は、その下部外周に、全周に渡って円筒状（リング状）の脚部（スペーサー）３０２が形成されている。アダプタ３をターンテーブル２８に固定（装着）する際には、脚部３０２の下端部がターンテーブル２８の外周壁２８２の内側に嵌合され、さらに脚部３０２の下端面（固定面）３０３がパッキン２８３に密着する。
【００９１】
また、アダプタ本体３０のほぼ中心部には、凹部３０５が形成されている。この凹部３０５には、遠心分離器４の底板５２の中心部に形成された凹部５２１を画成するための凸部が挿入、配置される。
【００９２】
以下、各係合部３２および各係合維持手段３４について説明するが、それぞれの構成は同一であるため、１つの係合部３２および各係合維持手段３４について説明する。
【００９３】
係合部３２は、アダプタ本体３０の上面３０１から所定距離離間した位置に上面３０１とほぼ平行に配置されたガイド板３２１と、上面３０１とほぼ垂直に形成され、突部５０５が当接して回転方向の移動を規制する回転規制部材３２２とを備えている。
【００９４】
アダプタ本体３０の上面３０１とガイド板３２１との間には、突部（突片）５０５が挿入、収納される空間３１が形成される。従って、ガイド板３２１の上面３０１に対する離間距離は、突部５０５が挿入されるのに必要かつ十分な距離とされる。
【００９５】
ガイド板３２１は、アダプタ本体３０の外周部に沿って帯状に形成されており、回転規制部材３２２は、ガイド板３２１の一端部に空間３１を閉じるように立設された小片で構成されている。また、ガイド板３２１の外縁とアダプタ本体３０の外縁とは、円弧状の外周壁３２３により連結（または一体化）され、空間３１の外周側が閉じられている。このような構成により、空間３１は、アダプタ本体３０の回転中心側およびガイド板３２１の他端部側（回転規制部材３２２がない側）にのみ開放する空間となる。
【００９６】
ここで、回転規制部材３２２は、ガイド板３２１のいずれ側の端部に形成されていてもよいが、アダプタ本体３０の回転駆動方向（図６中の矢印参照）との関係で、当該回転駆動方向の後方側に設けられているのが好ましい。これにより、アダプタ本体３０が回転駆動するとき（回転加速時）に、遠心分離器４の慣性力により突部５０５が回転規制部材３２２に当接し付勢されるようになるため、アダプタ本体３０に対する遠心分離器４の滑りを生じることなく確実な固定が維持される。
【００９７】
各係合部３２には、ぞれぞれ、当該係合部３２に係合する突部５０５の係合状態を維持する係合維持手段３４が設けられている。この係合維持手段３４は、前述した（図４に示す）係合維持手段２４と同様のものを用いることができ、その構成および作用はほぼ同じであるため、その説明は省略する。また、アダプタ３においても、係合維持手段３４に代えて、前述した（図５に示す）係合維持手段２５と同様の係合維持手段３５を用いることもでき、同様の作用・効果を生じる。
【００９８】
このようなアダプタ３は、以下のようにして用いられる。
図６に示すように、遠心分離器４のローター５０をアダプタ本体３０の上方に位置させ、それらの回転中心同士をほぼ合わせた状態で、遠心分離器４を下降させつつ、各突部５０５がそれぞれ隣り合う係合部３２同士の間（４つの間隙）に挿入されるように位置合わせをする。
【００９９】
次に、アダプタ本体３０に対しローター５０を図６中時計回りに相対的に回転する。これにより、各突部５０５は、対応する係合部３２の空間３１内に挿入されてゆき、突部５０５が回転規制部材３２２に当接したところで停止する。このとき、前述した係合維持手段３４の作用により、突部５０５が戻る方向（回転規制部材３２２から離れる方向）へ移動することが防止される。
【０１００】
以上により、各突部５０５の係合部３２への係合が完了し、かつその係合状態が維持される。これにより、ローター５０のアダプタ３に対する固定（装着）がなされる。
【０１０１】
次に、ローター５０が固定されたアダプタ３をターンテーブル２８に装着する。まず、アダプタ３の脚部３０２の下端部をターンテーブル２８の外周壁２８２の内側に嵌合する。このとき、脚部３０２の下端面３０３は、パッキン２８３に当接している。
【０１０２】
次いで、前述した空気吸入装置を作動し、該装置の吸気管および空気吸入口２８１を介して吸気を行う。これにより、アダプタ３の内部空間（アダプタ３とターンテーブル２８とで囲まれる空間）が負圧となり、アダプタ３がターンテーブル２８に吸着、固定される。
【０１０３】
このとき、アダプタ３に作用した吸着力により、脚部３０２の下端面３０３は、パッキン２８３に圧着される。パッキン２８３は、ゴムまたは軟質樹脂等の、密着性（気密性）を有し滑り難い材料で構成されているため、ターンテーブル２８が高速で回転した場合でも、アダプタ３がターンテーブル２８に対し滑りやズレを生じることはない。従って、アダプタ３に固定されているローター５０も、ターンテーブル２８に対し確実に固定されることとなる。
【０１０４】
アダプタ３がローター５０を固定する力は、ターンテーブル２８の回転速度に係わらず、実質的に一定である。従って、ローター５０は、ターンテーブル２８に対しても、その回転速度に係わらず、確実に固定される。
【０１０５】
図７および図８は、それぞれ、本発明における係合維持手段の他の構成例を示す断面図である。これらの図に示すように、係合維持手段３６は、ローター５０の突部５０５に当接する当接位置（図８に示す位置）と突部５０５に当接しない退避位置（図７に示す位置）とに変位可能な当接部材３６１と、当接部材３６１を退避位置へ変位させるように付勢する付勢部材３６６とを備えている。なお、突部５０５の下面には、前述したような凹部５０６は形成されていなくてもよい。
【０１０６】
アダプタ本体３０の（脚部３０２の）空間３１の入口付近の下部には、孔３６７が形成されており、この孔３６７内に当接部材３６１および付勢部材３６６が収納されている。
【０１０７】
当接部材３６１は、ピンで構成され、その上端部３６２および下端部３６３は、それぞれ、丸みを帯びた形状をなしている。当接部材３６１の長さは、脚部３０２の高さより長く、これにより、当接部材３６１の上端部３６２および下端部３６３の少なくとも一方がアダプタ本体３０の上面３０１または下端面３０３より突出する。
【０１０８】
また、当接部材３６１の途中には、鍔状のバネ座３６４が形成され、このバネ座３６４の外周には、Ｏリング３６５が設置されている。このＯリング３６５は、当接部材３６１の図中上下方向の移動に伴って移動し、孔３６７の内周面に摺接する。
【０１０９】
付勢部材３６６は、孔３６７内の上部に圧縮状態で収納されたコイル状のバネで構成されており、付勢部材（バネ）３６６の下端および上端は、それぞれ、当接部材３６１のバネ座３６４および縮径部３６８に当接している。これにより、付勢部材３６６は、当接部材３６１を下方に向けて、上端部３６２が空間３１から退避するよう（上面３０１のより下方に没入するよう）に付勢する。
【０１１０】
孔３６７の上端付近には、当接部材３６１の上端部３６２は通過するが付勢部材３６６は通過できない程度に縮径した縮径部３６８が形成されており、この縮径部３６８の下面に付勢部材３６６の上端が当接する。また、孔３６７の下部には、当接部材３６１が抜けるのを防止するためのリング状のブッシュ３６９が嵌入（または螺入）されている。このブッシュ３６９には、当接部材３６１の下端部３６３が通過する孔が形成され、ブッシュ３６９の上面に当接部材３６１のバネ座３６４が当接し、当接部材３６１がそれ以上下方へ移動できないように規制している。
【０１１１】
アダプタ３が通常の状態（ターンテーブル２８の固定されていない単独の状態）では、図７に示すように、当接部材３６１は、付勢部材３６６により下方に向かって付勢され、バネ座３６４がブッシュ３６９に当接した状態で静止している。これにより、当接部材３６１の上端部３６２はアダプタ本体３０の上面３０１より孔３６７内に没入し、当接部材３６１の下端部３６３は脚部３０２の下端面（固定面）３０３より下方に突出している。
【０１１２】
一方、アダプタ３をターンテーブル２８に固定したときは、脚部３０２の下端面（固定面）３０３はターンテーブル２８側のパッキン２８３に圧着される。これにより、図８に示すように、当接部材３６１の下端部３６３がパッキン２８３に当接して上方へ押され、当接部材３６１は、付勢部材３６６の付勢力に抗して上方へ移動する。この移動により、当接部材３６１の上端部３６２はアダプタ本体３０の上面３０１より所定長さ突出し、当接部材３６１の下端部３６３は脚部３０２の下端面（固定面）３０３より孔３６７内に没入する。
【０１１３】
このような係合維持手段３６を備えたアダプタ３は、以下のようにして用いられる。
図６に示すように、遠心分離器４のローター５０をアダプタ本体３０の上方に位置させ、それらの回転中心同士をほぼ合わせた状態で、遠心分離器４を下降させつつ、各突部５０５がそれぞれ隣り合う係合部３２同士の間（４つの間隙）に挿入されるように位置合わせをする。
【０１１４】
次に、アダプタ本体３０に対しローター５０を図６中時計回りに相対的に回転する。前述したように、当接部材３６１は、突部５０５に当接しない退避位置にあり、すなわち、当接部材３６１の上端部３６２は、アダプタ本体３０の上面３０１より孔３６７内に没入しているため（図７参照）、各突部５０５は、当接部材３６１に遮られることなく、対応する係合部３２の空間３１内に挿入されてゆき、突部５０５が回転規制部材３２２に当接したところで停止する。
【０１１５】
次に、この状態を維持しつつ、アダプタ３をターンテーブル２８に装着する。まず、アダプタ３の脚部３０２の下端部をターンテーブル２８の外周壁２８２の内側に嵌合する。このとき、脚部３０２の下端面３０３は、パッキン２８３に当接し、上方へ押される。これにより、前述したように、当接部材３６１は、突部５０５に当接する当接位置へ移動する。すなわち、当接部材３６１の上端部３６２がアダプタ本体３０の上面３０１より突出し、突部５０５の縁部に当接、係止する。よって、突部５０５の図８中矢印と反対方向への戻り（回転規制部材３２２から離れる方向への移動）が阻止され、係合部３２に対する係合状態が維持される。
【０１１６】
以上により、各突部５０５の係合部３２への係合が完了し、かつその係合状態が維持され、これにより、ローター５０のアダプタ３に対する固定（装着）がなされる。
【０１１７】
次に、前述した空気吸入装置を作動し、該装置の吸気管および空気吸入口２８１を介して吸気を行う。これにより、アダプタ３の内部空間（アダプタ３とターンテーブル２８とで囲まれる空間）が負圧となり、アダプタ３がターンテーブル２８に吸着、固定される。
【０１１８】
このとき、アダプタ３に作用した吸着力により、脚部３０２の下端面３０３は、パッキン２８３に圧着される。パッキン２８３は、ゴムまたは軟質樹脂等の、密着性（気密性）を有し滑り難い材料で構成されているため、ターンテーブル２８が高速で回転した場合でも、アダプタ３がターンテーブル２８に対し滑りやズレを生じることはない。従って、アダプタ３に固定されているローター５０も、ターンテーブル２８に対し確実に固定されることとなる。
【０１１９】
アダプタ３がローター５０を固定する力は、ターンテーブル２８の回転速度に係わらず、実質的に一定である。従って、ローター５０は、ターンテーブル２８に対しても、その回転速度に係わらず、確実に固定される。
【０１２０】
また、アダプタ３がターンテーブル２８に対し確実に圧着固定されている限り、当接部材３６１は、突部５０５に当接する当接位置を保持するため、各突部５０５の各係合部３２に対する係合も確実に維持される。
【０１２１】
遠心分離作業の終了後、アダプタ３をターンテーブル２８から取り外すと、当接部材３６１の下端部３６３のパッキン２８３による押圧が解除されるため、当接部材３６１は、付勢部材３６６の付勢力により、アダプタ本体３０に対し下方へ移動し、自動的に退避位置へ戻る。これにより、ローター５０をアダプタ本体３０に対し図６中反時計回りに相対的に回転することにより、ローター５０をアダプタ３より簡単に取り外すことができる。
【０１２２】
以上、本発明を図示の各実施形態に基づいて説明したが、本発明は、図示のものに限定されないことは言うまでもない。上述した固定台、アダプタおよび回転駆動装置の各部の構成は、同様の機能を発揮し得る任意の構成のものと置換することができ、また任意の構成を付加することができる。特に、遠心分離器に形成された突部の形状、個数、配置や、突部に係合する係合部の構造、配置、さらには、係合維持手段の構造、配置等は、図示のものに限定されず、いかなるものでもよい。
【０１２３】
また、アダプタ３のターンテーブル２８への固定は、前述したような負圧を利用した構成のものに限定されず、たとえば、公知の挟持機構（把持機構）等を用いたものであってもよい。
【０１２４】
また、上記では、遠心分離器としてローターとステーターを有する遠心ボウルを例にして説明したが、遠心分離器の種類、構造等は、これに限定されるものではない。
【図面の簡単な説明】
【０１２５】
【図１】本発明の遠心分離器の固定台を備えた回転駆動装置の実施形態を示す断面側面図である。
【図２】遠心分離器（遠心ボウル）の構成例を示す縦断面図である。
【図３】本発明の遠心分離器の固定台の実施形態を示す斜視図である。
【図４】図３中のＡ−Ａ線断面図（本発明における係合部および係合維持手段の構成例を示す断面図）である。
【図５】本発明における係合部および係合維持手段の他の構成例を示す断面図である。
【図６】本発明の遠心分離器固定用アダプタの実施形態を示す斜視図である。
【図７】本発明における係合維持手段の他の構成例（当接部材が退避位置にある状態）を示す断面図である。
【図８】本発明における係合維持手段の他の構成例（当接部材が当接位置にある状態）を示す断面図である。
【符号の説明】
【０１２６】
１          回転駆動装置
１１        ハウジング
１２        脚部
１３        モータ
１４        回転軸
１６        ボルト
１７        スペーサー
２          固定台
２０        ターンテーブル
２０１      上面
２０５      凹部
２１        空間
２２        係合部
２２１      ガイド板
２２２      回転規制部材
２２３      外周壁
２４        係合維持手段
２４１      当接部材（ピン）
２４２      上端部
２４３      バネ座
２４５      付勢部材（バネ）
２４７      孔
２４８      縮径部
２５        係合維持手段
２５１      当接部材（突起）
２５５      付勢部材（板バネ）
２８        ターンテーブル
２８１      空気吸入口
２８２      外周壁
２８３      パッキン
３          アダプタ
３０        アダプタ本体
３０１      上面
３０２      脚部
３０３      下端面（固定面）
３０５      凹部
３１        空間
３２        係合部
３２１      ガイド板
３２２      回転規制部材
３２３      外周壁
３４、３５  係合維持手段
３６        係合維持手段
３６１      当接部材（ピン）
３６２      上端部
３６３      下端部
３６４      バネ座
３６５      Ｏリング
３６６      付勢部材（バネ）
３６７      孔
３６８      縮径部
３６９      ブッシュ
４          遠心分離器（遠心ボウル）
４０        ステーター
４１        ボウルヘッド
４２        カバー
４３        流入口
４４        流出口
４５        上部流出管
４６        下部流入管
４６１      上端
４６２      フランジ部
４６３、４６４  流路
４７        流入管
４８        シール機構
４８１      リング
４８２      シール部材
４８３      押え部材
４８４      凸部
５０        ローター
５００      回転中心軸
５０１      凹凸嵌合部
５０２      凹部
５０３      凸部
５０５      突部（突片）
５０６      凹部
５１        容器本体
５１１      側壁
５１３      下端面
５１５      縮径部
５２        底板
５２１      凹部
５２２      内面（上面）
５２３      外面（下面）
５３        外核
５４        内核
５５        貯血空間
５６、５７  流路
５８        摺動部材
５９        肩部
６０        ダム部
【図１】
2005074109.tif 000003
【図２】
2005074109.tif 000004
【図３】
2005074109.tif 000005
【図４】
2005074109.tif 000006
【図５】
2005074109.tif 000007
【図６】
2005074109.tif 000008
【図７】
2005074109.tif 000009
【図８】
2005074109.tif 000010